【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  上シェル及び下シェルを重ね合わせることによって内部にディスク収納室が形成されるカートリッジ筐体と、
上記ディスク収納室の一部を露出させるため上記カートリッジ筐体に設けた開口部を開閉するシャッタ部材と、を備えたディスクカートリッジにおいて、
上記上シェル又は上記下シェルの内面の略中央部に、上記開口部から上記ディスク収納室内に挿入されるターンテーブルに設けられるマグネットの磁力により吸引される磁性体で形成されたチャックリングを遊動自在に支持した
ことを特徴とするディスクカートリッジ。
【請求項２】  上記チャックリングは、上記マグネットの磁力を受ける磁力受け部と、上記磁力受け部に作用する磁力により吸引されてディスク状記録媒体を押圧する挟持部と、上記上シェル又は上記下シェル側の部材により規制されて当該上シェル又は下シェルからの脱落を防止するフランジ部とを設けた
ことを特徴とする請求項１記載のディスクカートリッジ。
【請求項３】  上記チャックリングを遊動自在に支持するリングホルダを上記上シェル又は上記下シェルに固定して設けると共に、上記リングホルダの中央穴に着脱自在に係合されるテーパ部を上記チャックリングに設けた
ことを特徴とする請求項１又は２記載のディスクカートリッジ。
【請求項４】  上記チャックリングには、上記ターンテーブルの回転中心に設けた嵌合部が着脱自在に嵌合されるテーパ状の凹陥部を設けた
ことを特徴とする請求項２又は３記載のディスクカートリッジ。
【請求項５】  上記チャックリングは、磁性体からなる板金により一体成形した
ことを特徴とする請求項２、３又は４記載のディスクカートリッジ。
【請求項６】  上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室の一部を露出させるため上記カートリッジ筐体に設けた開口部を開閉するシャッタ部材と、を備えたディスクカートリッジにおいて、
上記上シェル又は上記下シェルの内面の略中央部に、上記開口部から上記ディスク収納室内に挿入されるターンテーブルに設けられるマグネットの磁力により吸引される磁性体で形成されたチャックリングを遊動自在に支持した
ことを特徴とするディスクカートリッジ。
【請求項７】  上記チャックリングは、上記マグネットの磁力を受ける磁力受け部と、上記磁力受け部に作用する磁力により吸引されてディスク状記録媒体を押圧する挟持部と、上記上シェル又は上記下シェル側の部材により規制されて当該上シェル又は下シェルからの脱落を防止するフランジ部とを設けた
ことを特徴とする請求項６記載のディスクカートリッジ。
【請求項８】  上記チャックリングを遊動自在に支持するリングホルダを上記上シェル又は上記下シェルに固定して設けると共に、上記リングホルダの中央穴に着脱自在に係合されるテーパ部を上記チャックリングに設けた
ことを特徴とする請求項６又は７記載のディスクカートリッジ。
【請求項９】  上記チャックリングには、上記ターンテーブルの回転中心に設けた嵌合部が着脱自在に嵌合されるテーパ状の凹陥部を設けた
ことを特徴とする請求項７又は８記載のディスクカートリッジ。
【請求項１０】  上記チャックリングは、磁性体からなる板金によって一体成形した
ことを特徴とする請求項７、８又は９記載のディスクカートリッジ。
【請求項１１】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項６記載のディスクカートリッジ。
【請求項１２】  上シェル及び下シェルを重ね合わせることによって内部にディスク収納室が形成されるカートリッジ筐体と、
上記ディスク収納室内に回転自在に収納されると共に上記上シェル又は上記下シェルに設けた開口部から一部が露出されるディスク状記録媒体と、
上記開口部を開閉するシャッタ部材と、を備えたディスク記録媒体装置において、
上記上シェル又は上記下シェルの内面の略中央部に、上記開口部から上記ディスク収納室内に挿入されるターンテーブルに設けられるマグネットの磁力により吸引される磁性体で形成されたチャックリングを遊動自在に支持した
ことを特徴とするディスク記録媒体装置。
【請求項１３】  上記チャックリングは、上記マグネットの磁力を受ける磁力受け部と、上記磁力受け部に作用する磁力により吸引されてディスク状記録媒体を押圧する挟持部と、上記上シェル又は上記下シェル側の部材により規制されて当該上シェル又は下シェルからの脱落を防止するフランジ部とを設けた
ことを特徴とする請求項１２記載のディスク記録媒体装置。
【請求項１４】  上記チャックリングを遊動自在に支持するリングホルダを上記上シェル又は上記下シェルに固定して設けると共に、上記リングホルダの中央穴に着脱自在に係合されるテーパ部を上記チャックリングに設けた
ことを特徴とする請求項１２又は１３記載のディスク記録媒体装置。
【請求項１５】  上記チャックリングには、上記ターンテーブルの回転中心に設けた嵌合部が着脱自在に嵌合されるテーパ状の凹陥部を設けた
ことを特徴とする請求項１３又は１４記載のディスク記録媒体装置。
【請求項１６】  上記チャックリングは、磁性体からなる板金により一体成形した
ことを特徴とする請求項１３、１４又は１５記載のディスク記録媒体装置。
【請求項１７】  上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に回転自在に収納されると共に上記中シェル及び上記上シェル又は上記下シェルに設けた開口部から一部が露出されるディスク状記録媒体と、
上記開口部を開閉するシャッタ部材と、を備えたディスク記録媒体装置において、
上記上シェル又は上記下シェルの内面の略中央部に、上記開口部から上記ディスク収納室内に挿入されるターンテーブルに設けられるマグネットの磁力により吸引される磁性体で形成されたチャックリングを遊動自在に支持した
ことを特徴とするディスク記録媒体装置。
【請求項１８】  上記チャックリングは、上記マグネットの磁力を受ける磁力受け部と、上記磁力受け部に作用する磁力により吸引されてディスク状記録媒体を押圧する挟持部と、上記上シェル又は上記下シェル側の部材により規制されて当該上シェル又は下シェルからの脱落を防止するフランジ部とを設けた
ことを特徴とする請求項１７記載のディスク記録媒体装置。
【請求項１９】  上記チャックリングを遊動自在に支持するリングホルダを上記上シェル又は上記下シェルに固定して設けると共に、上記リングホルダの中央穴に着脱自在に係合されるテーパ部を上記チャックリングに設けた
ことを特徴とする請求項１７又は１８記載のディスク記録媒体装置。
【請求項２０】  上記チャックリングには、上記ターンテーブルの回転中心に設けた嵌合部が着脱自在に嵌合されるテーパ状の凹陥部を設けた
ことを特徴とする請求項１８又は１９記載のディスク記録媒体装置。
【請求項２１】  上記チャックリングは、磁性体からなる板金によって一体成形した
ことを特徴とする請求項１８、１９又は２０記載のディスク記録媒体装置。
【請求項２２】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項１７記載のディスク記録媒体装置。
【請求項２３】  カートリッジ筐体に形成されたディスク収納室内にディスク状記録媒体が回転自在に収納されると共に当該ディスク状記録媒体の一部を露出させるため上記カートリッジ筐体に設けた開口部がシャッタ部材によって開閉自在とされたディスク記録媒体装置と、
上記ディスク記録媒体装置の挿脱動作に応じて上記シャッタ部材を移動させて上記開口部を開閉させるシャッタ開閉手段と、
上記ディスク記録媒体装置が着脱可能に装着されると共に当該ディスク記録媒体装置の装着時、上記シャッタ開閉手段で開放された上記開口部から挿入されて上記ディスク状記録媒体をチャッキングして回転駆動するディスクドライブ装置と、を備えたディスク記録再生装置において、
上記カートリッジ筐体は、上シェル及び下シェルを重ね合わせ又は上シェル、中シェル及び下シェルを重ね合わせることによって構成されると共に上シェル及び下シェル内又は上シェル及び中シェル内若しくは中シェル及び下シェル内に上記ディスク収納室が形成され、
上記上シェル又は上記下シェルの内面の略中央部に、上記開口部から上記ディスク収納室内に挿入されるターンテーブルに設けられるマグネットの磁力により吸引される磁性体で形成されたチャックリングを遊動自在に支持した
ことを特徴とするディスク記録再生装置。
【請求項２４】  上記チャックリングは、上記マグネットの磁力を受ける磁力受け部と、上記磁力受け部に作用する磁力により吸引されてディスク状記録媒体を押圧する挟持部と、上記上シェル又は上記下シェル側の部材により規制されて当該上シェル又は下シェルからの脱落を防止するフランジ部とを設けた
ことを特徴とする請求項２３記載のディスク記録再生装置。
【請求項２５】  上記チャックリングを遊動自在に支持するリングホルダを上記上シェル又は上記下シェルに固定して設けると共に、上記リングホルダの中央穴に着脱自在に係合されるテーパ部を上記チャックリングに設けた
ことを特徴とする請求項２３又は２４記載のディスク記録再生装置。
【請求項２６】  上記チャックリングには、上記ターンテーブルの回転中心に設けた嵌合部が着脱自在に嵌合されるテーパ状の凹陥部を設けた
ことを特徴とする請求項２４又は２５記載のディスク記録再生装置。
【請求項２７】  上記チャックリングは、磁性体からなる板金によって一体成形した
ことを特徴とする請求項２４、２５又は２６記載のディスク記録再生装置。
【請求項２８】  上記シャッタ部材は、略半円形とされた２枚のシャッタ部材からなり、
上記２枚のシャッタ部材が上記開口部を有する上記中シェルの一面側に当該開口部を挟んで対向するように配置され、それぞれのシャッタ部材において弦側の一側部で中シェルに回転自在に支持されると共に当該シャッタ部材に設けたガイド溝に上記下シェル又は上記上シェルに設けたガイドピンを摺動可能に係合して一対のシャッタ部材を開閉自在に構成した
ことを特徴とする請求項２３記載のディスク記録再生装置。
【請求項２９】  上記シャッタ開閉手段はラック部と当該ラック部の前後に配置された凸部とを有し、
上記中シェルは上記ラック部に噛合されるギア部と当該ギア部の前後に配置された凹部とを有し、
上記シャッタ開閉手段の進退運動に基づいて上記中シェルに回転運動を付与するようにした
ことを特徴とする請求項２３記載のディスク記録再生装置。